(57)【要約】【課題】本発明は、指定区域（例えば、ホテルの部屋など）に人間がいると自動的に電流を接続し、人が去ると自動的に電流を切断する装置を提供することを目的とする。【解決手段】装置は、無線携帯信号送信機と、指定区域に主電源を接続する固定取り付けされた受信機と、を含んで構成される。送信機は、所定手段で周期的に信号を送信する。受信機は、信号を受信すると、主回路ブレーカにクローズを生じさせて指定区域に電気を供給し、及び、送信周期よりも長い時間周期の後、自動的に回路ブレーカにオープンを生じさせる。送信機が受信機の受信範囲内に位置したときに信号を所定のタイミングで受信機に送信する場合、受信機は回路ブレーカのクローズ状態を維持する一方、送信機がそれ以外の場合（送信機からのあらゆる信号が存在しないことを検出した場合）、受信機は回路ブレーカをオープンにして指定区域への電気を切断する。【選択図】図１
2008530922.tif 000002
【特許請求の範囲】
【請求項１】
指定区域に供給される電力を自動接続又は自動切断する無線電子装置であって、該無線電子装置は、送信機（９）と受信機（６）とを含んで構成され、
前記送信機は、携帯端末であり、前記受信機は、前記指定区域の主給電ライン（１）に接続される主回路ブレーカ（７）に連結され、
前記送信機は、無線でパルス信号を送信するために、電気パルス発生器（１４）、パルス送信機モジュール（１６）及び第１アンテナ装置（１２）を含んで構成され、
前記受信機は、前記送信機が前記受信機の受信範囲内である場合に、前記パルス信号を受信する第２アンテナ装置（１３）を含んで構成され、
前記受信機は、前記主給電ラインに接続される前記回路ブレーカ（７）を制御し、前記受信機が前記パルス信号を受信すると、電力が前記指定区域に供給されるように前記回路ブレーカにクローズを生じさせ、及び、第１時間周期に、前記パルス信号を受信しないと、前記指定区域に供給される電力を遮断するように前記回路ブレーカにオープンを生じさせ
ることを特徴とする無線電子装置。
【請求項２】
前記送信機は、該送信機に特有の識別を有するパルスをエンコードするエンコーダ（１５）を含んで構成され、
及び、前記受信機は、前記送信機の識別をデコード及び照合するデコーダを含んで構成されることを特徴とする請求項１記載の無線電子装置。
【請求項３】
前記送信機（９）及び前記受信機（６）は、隣接する指定区域に用いる暗号鍵とは異なるエンコード用又はデコード用の同一の暗号鍵を共有し、隣接する指定区域間に干渉が生じないことを保証することを特徴とする請求項２記載の無線電子装置。
【請求項４】
前記送信機（９）は、プログラム可能な第２時間周期の経過後、パルス信号の周期的な送信を前記送信機に生じさせる送信機タイマー（３０）を含んで構成されることを特徴とする請求項１〜３のいずれか１項に記載の無線電子装置。
【請求項５】
前記受信機（６）は、受信機タイマー（１７）と、プログラム可能で前記第２時間周期よりも長い前記第１時間周期までに、前記送信機からパルス信号を受信しないと、前記回路ブレーカをオープンにする、前記回路ブレーカに接続される遅延回路（５）と、をさらに含んで構成されることを特徴とする請求項４に記載の無線電子装置。
【請求項６】
前記送信機（９）は、該送信機によるパルス送信を即時に開始させ、前記受信機タイマー（１７）をリセットするリセット手段（２０）をさらに含んで構成されることを特徴とする請求項１〜５に記載の無線電子装置。
【請求項７】
指定区域に供給される電力を自動接続又は自動切断する方法であって、該方法は、
携帯送信機（９）がパルス信号を無線送信すること、
前記送信機が前記受信機の受信範囲内であると、前記指定区域の主給電ライン（１）に接続される主回路ブレーカ（７）に連結された前記受信機（６）が前記無線パルス信号を受信すること、
前記受信機が前記パルス信号を受信すると、前記回路ブレーカを制御して、前記指定区域に電力を供給するように前記回路ブレーカ（７）にクローズを生じさせること、
第１時間周期に、前記パルス信号を受信しないと、前記指定区域に供給する電力を遮断するように前記回路ブレーカにオープンを生じさせること、
を含んで構成されることを特徴とする方法。
【請求項８】
前記送信機側で、該送信機に特有の識別を有するパルス信号をエンコードすること、
前記受信機側で、前記送信機に特有の識別をデコード及び照合すること、
を含んで構成されることを特徴とする請求項７に記載の方法。
【請求項９】
第１指定区域における前記送信機と前記受信機との対のそれぞれが、隣接する指定区域に用いられる暗号鍵とは異なるように前記送信機（９）のエンコード及び前記受信機（６）のデコードに同一の共有暗号鍵を使用し、隣接する指定区域間で干渉が生じないことを保証すること、をさらに含んで構成されることを特徴とする請求項７又は請求項８に記載の方法。
【請求項１０】
プログラム可能な第２時間周期の後、前記パルス信号を周期的に送信することを前記送信機に生じさせる前記送信機（９）内の送信機タイマー（３０）を使用すること、をさらに含んで構成されることを特徴とする請求項７〜９のいずれか１項に記載の方法。
【請求項１１】
受信機タイマー（１７）と、プログラム可能で前記第２時間周期よりも長い前記第１時間周期までに、前記送信機からパルス信号を受信しないと、前記回路ブレーカにオープンを生じさせる、前記回路ブレーカ（７）に接続する遅延回路（５）と、を使用すること、をさらに含んで構成されることを特徴とする請求項７〜１０のいずれか１項に記載の方法。
【請求項１２】
リセット手段(２０)の作動で、前記受信機タイマー（１７）をリセットする前記送信機によるパルス送信を即時に開始させること、をさらに含んで構成されることを特徴とする請求項７〜１１のいずれか１項に記載の方法
【請求項１３】
請求項１〜６のいずれか１項の無線電子装置を少なくとも２つ含んで構成され、
前記第１無線電子装置は、第１指定区域で使用され、エンコード用／デコード用の第１暗号鍵を共有する送信機（９）と受信機（６）とを含んで構成され、
及び、第２無線電子装置は、第２指定区域で使用され、前記第１指定区域と隣接し、前記第１暗号鍵とは異なるエンコード用／デコード用の第２暗号鍵を共有する送信機（９’）と受信機（６’）とを含んで構成され
ることを特徴とするシステム。
【発明の詳細な説明】
【技術分野】
【０００１】
本発明は、使用者がある場所（指定区域）から離れた場合に、その指定区域の電源を（一時的に）切断する電流を生じさせ、使用者が指定区域にアクセスする場合又は接近する場合には、電源を（再）接続する電流を生じさせる無線装置、及びその方法を含んで構成される。
【背景技術】
【０００２】
一例としてホテルでの使用を説明する。しかし、本発明は、使用者存在下の指定区域（ホテルの部屋）では電流を自動接続し、使用者不在下の指定区域では電流を自動切断することを要するあらゆる類似環境に適用することができる。
【０００３】
ホテル、家具付きアパート、モーテル、オフィスなどのオーナーは、宿泊客又は入居者が部屋を退出する際に即時に電流を切らないので、高額の電気料金を支払わなければならないといった欠点がある。従って、ホテルなどの全室は、電流を接続するために電子アクセスカード（入室用の鍵）の挿入を必要とする特定の装置を意図的に使用している。この装置は、部屋を退出する際に宿泊客がカードを引き抜くと、電流を切断する。しかし、この方法は、標準のキーシステムを電子アクセスカードに置換可能なホテルにおいてのみ適合する。また、この方法には、２つの問題がある。第１に、宿泊客は、カードが目の前にないことから、部屋を退出するより先に、装置にカードを差し込んだことを忘れてしまうことがある。第２に、同じ厚さを有するあらゆるカード、例えば、ＩＤカード、クレジットカードなどが同様に機能してしまうこともあるので、この方法は実用的ではない。装置に挿入されるあらゆるカードが電流を接続できるのは、この方法が、機械的であり、且つカードの厚みと同一距離の移動により電流を接続する装置内部に固定された小ホイールに依存するためである。また、装置に挿入されるカードがいかなる電気信号も出力しない場合、この機械式の方法は、事実上、あらゆるカードを挿入することによっても、電流を接続してしまうことになる。これは、電気料金の高コスト化が未だ存在することを意味する。
【発明の開示】
【発明が解決しようとする課題】
【０００４】
従って、問題とするのは、電気料金の高コスト化だけでなく、これに伴う不適切な消費電力及び環境汚染の増加にある。
【課題を解決するための手段】
【０００５】
本発明は、２つの主要な構成、即ち、送信機と受信機とを含んで構成される。送信機と受信機は、送信機内部のエンクリプタ（エンコーダ）及び受信機内部のディクリプタ（デコーダ）によって識別される、送信機と受信機との間で共通の無線信号を用いる。送信機は、充電式電池、（リチウムなどの）一般的な電池、又はあらゆるその他の電源から電力が供給され、受信機は、主給電ライン上で、主電源ボックスに固定される。それらの主機能は、指定区域に電気を供給する主給電ラインを遮断するなどして（例えば、回路ブレーカを用いて）、その指定区域を切断する電流を生じさせることである。
【０００６】
送信機は、周期的に（例えば、３分毎に）、無線信号、即ち、対象受信機の特定ＩＤをエンコードしたパルス信号を送信する。送信機が受信機の受信範囲内に位置すると、受信機は、信号を受信して、送信機ＩＤを識別した後、指定区域に電気を供給するために、接続電力を発生する（例えば、回路ブレーカを主給電ラインに接続する）。受信機は、例えば、５分間、接続を繋げた状態を維持する。この第１時間周期は更新されることができる。つまり、前記時間周期内に他の信号を送信機から受信した場合、他の周期の間、接続が維持されることを意味する。この第１時間周期は、第２時間周期、即ち送信機が信号を送信する間隔よりも長い。これは、送信機が受信範囲内に存在する間、電力の継続的な供給が指定区域で維持されることを確実にするためである。接続を（再）解除する際（即ち、第１時間周期）の受信機内の遅延は、その時間周期の間、接続を繋げた状態を維持するようにプログラムされた遅延回路手段及びタイマー手段によって制御される。
【０００７】
送信機及び受信機のそれぞれは、相互で適合させた特定の無線信号識別子を保持する。この識別子は、送信機及び受信機を変更する際に、隣接する指定区域間で干渉が生じないような無線信号を保証するために変更される。
【０００８】
送信機は−電池を節電するために−信号を周期的に送信するので、意図された指定区域に居る宿泊客又は使用者は、送信機が最後に送信した信号が受信機に到達しなかった時間周期の間に、受信機の受信範囲に到達することもある。この問題を解決するために、送信機は、例えば、電流を接続するために受信機に送信する無線信号を即時に発生するボタンなどのリセット手段を備える。さらに、送信機は、例えば、ボタンを押すと、リセット手段を起動した瞬間から自動的にスタートする無線信号送信タイマーを含んで構成される。即ち、送信機を、前述のボタンを用いてリセットする。
【０００９】
また、送信機は、（充電式電池によって電力が供給される場合であれば）充電されてる間、及び、例えば、電池又は再充電可能な電源からの電力を遮断するように送信機の電源スイッチがセットされている間の少なくとも一方において、他のいかなる信号も送信しないように設計される。
【発明を実施するための最良の形態】
【００１０】
図１、図２ａ、図２ｂを参照して、本発明を説明する。本発明は、２つの主要な構成、即ち、特定の共通信号をそれぞれが保有する送信機９と受信機６とを含んで構成される。受信機６は、主回路ブレーカ７に連結されると共に、主給電ライン１に順番に接続される。主回路ブレーカは、受信機によって制御され、指定区域を主給電ラインに接続（回路ブレーカはクローズ）するか、又は指定区域を主給電ラインから切断（回路ブレーカはオープン）する。指定区域内の全て又は幾つかの電気設備及び装置は、サブ回路ブレーカ３を通じて主給電ラインへ接続される。主回路ブレーカがオープンすることによって電流が切断されている場合でも、幾つかの設備（例えば、冷蔵庫、ＴＶ、送風機、空調設備など）が運転を継続するには、例えば、受信機が制御する主回路ブレーカより前の主給電ラインからのブランチなど（即ち、主回路ブレーカの運転によっては影響を受けない）追加の給電ライン（図示略）を設けることによって達成することができる。
【００１１】
送信機９は、図２ａに示したように、キーホルダー１０を通じてキー１１に取り付けられるか、又は、図２ｂに示したように、キーと組み合わされて直接に取り付けられる。また、送信機は、その他のあらゆる形態（例えば、独立したアクセスカードなどの形態）をも採用することができる。
【００１２】
図３及び図４を参照する。ノーマルモードにおいて、送信機は、無線方式の電気パルスを送信する。この電気パルスは、パルス発生器１４によって発生され、エンクリプタ（エンコーダ）１５によってエンクリプト（エンコード）され、その後、パルス送信機モジュール１６によってアンテナ１２を介して受信機６に送信される。受信機６内に配置されたパルス受信機モジュール１８は、アンテナ１３を介して送信機９から信号を受信し、該受信信号を、送信機ＩＤを識別するパルスデコーダ（ディクリプタ）１９に送る。デコーダは、第１時間周期に応じて主回路ブレーカをクローズするタイミングをリセットするために受信機タイマー１７（図示略）と、第１時間周期が経過するまで又は他の信号を送信機９から受信するまで主回路ブレーカをオープンにするために主回路ブレーカの応答を遅延させる遅延回路と、に信号を渡すと−その後、送信機ＩＤを照合−、受信機６に配置された受信機タイマー１７は、リセットになる。
【００１３】
送信機９が受信機６の無線信号受信範囲内であると、受信機６は、プログラム可能な（第２時間周期に対応する）所定の時間間隔で、例えば、３分毎に、送信機９から送信される無線信号を受信する。また、受信機６は、プログラム可能な所定の第１時間周期、例えば、５分でタイマー１７及び遅延機５を介して接続、即ち、主回路ブレーカをクローズにする電流を発生する。重要なのは、不必要な電力の供給停止を避けるために、第１時間周期を第２時間周期よりも長くすることである。言い換えれば、使用者が電力供給される指定区域に居るか又はその近くにいるのと同様に、送信機９及び受信機６が同一のブロードキャスト範囲内であれば、指定区域への電力供給を確実にする必要があるためである。
【００１４】
主給電ラインは、受信機６が必要とする電力を継続的に供給し、電力貯蔵装置（電池）は、送信機９が必要とする電力を提供する。送信機９は、再充電可能な電源を用いるとよい。この場合、送信機は、充電器に接続されていると、完全に電源が切断される。また、送信機は、再充電不可能な電源によって運転される場合には、電力を節約し及びその寿命を長くするために、電源スイッチを備えるとよい。
【００１５】
さらに、送信機は、直接に電流を接続し及び受信機タイマーをリセットするために用いるリセットボタン２０を含んで構成される。電流のない状況下で指定区域に接近又はアクセスすると、使用者は、電流を再接続するために、第２時間周期の経過を待つことなく、無線信号を受信機に即時に送信するために、リセットボタン２０を押すことができる。
【００１６】
本発明−特に、送信機９−は、前述した特定の実施形態以外の異なる手段でも実現することができ、異なる物質で製造することもできる。また、送信機の回路及び受信機の回路は、効率を改善し節電可能な幾つかのアドインによって変更されることができる。
【図面の簡単な説明】
【００１７】
【図１】主電源ボックスに接続した受信機の概略図
【図２】（ａ）はキーホルダに取り付けた送信機の概略図、（ｂ）はキーに取り付けた小型送信機の概略図
【図３】送信機の回路を示した概略図
【図４】受信機の回路を示した概略図
【図１】
2008530922.tif 000003
【図２】
2008530922.tif 000004
【図３】
2008530922.tif 000005
【図４】
2008530922.tif 000006
【国際調査報告】
2008530922.tif 000007
2008530922.tif 000008